(57)【要約】【課題】容量が空に近づいたことを姿勢の変化で示すことができ、且つ、自立させた状態で内容物の充填を容易に行うことが可能な容器を提供する。【解決手段】キャップ付き容器１は、内容物２の投入口となる開口を有し、内容物２を貯留する容器本体４と、容器本体４に対して装着されるキャップ５と、を備えている。キャップ５が容器本体４に対して非装着の状態では、容器本体４は、内容物２の貯留量にかかわらず第１の姿勢で自立可能である。キャップ５が容器本体４に対して装着された状態では、容器本体４は、貯留量が第１量のときには第１の姿勢で自立可能であり、貯留量が第１量よりも少ない第２量のときには、第１の姿勢に対して傾斜した第２の姿勢で自立する。【選択図】図１
2017081611.tif 000002
【特許請求の範囲】
【請求項１】
内容物の投入口となる開口を有し、前記内容物を貯留する容器本体と、
前記容器本体に対して装着されるキャップと、
を備え、
前記キャップが前記容器本体に対して非装着の状態では、前記容器本体は、前記内容物の貯留量にかかわらず第１の姿勢で自立可能であり、
前記キャップが前記容器本体に対して装着された状態では、前記容器本体は、前記貯留量が第１量のときには前記第１の姿勢で自立可能であり、前記貯留量が前記第１量よりも少ない第２量のときには、前記第１の姿勢に対して傾斜した第２の姿勢で自立するキャップ付き容器。
【請求項２】
前記貯留量が前記第１量のときと前記第２量のときとでは、当該キャップ付き容器と前記内容物との総体の重心の位置が水平方向において互いに異なることによって、
前記キャップが前記容器本体に対して装着された状態において、前記容器本体は、前記貯留量が前記第１量のときには前記第１の姿勢で自立可能であり、前記貯留量が前記第２量のときには、前記第２の姿勢で自立する請求項１に記載のキャップ付き容器。
【請求項３】
前記第１の姿勢のときには、前記第２の姿勢のときと比べて、前記開口の軸心方向の鉛直方向に対する角度が小さい請求項１又は２に記載のキャップ付き容器。
【請求項４】
前記容器本体の底部は、前記第１の姿勢のときに接地する第１底部と、前記第２の姿勢のときに接地する第２底部と、を含み、
前記容器本体の胴部は、前記第１の姿勢のときに前記第１底部側と前記第２底部側とのうち前記第１底部側の側方に前記第１底部よりも膨出した状態となる膨出部を有しているか、又は、前記第１の姿勢のときに前記第２底部側の側方に前記第２底部よりも膨出した状態となる膨出部を有している請求項１から３のいずれか一項に記載のキャップ付き容器。
【請求項５】
前記キャップは前記容器本体に対して着脱可能に装着される請求項１から４のいずれか一項に記載のキャップ付き容器。
【請求項６】
請求項１から５のいずれか一項に記載のキャップ付き容器と、
前記容器本体に充填された内容物と、
を備えるキャップ付き容器詰め品。
【発明の詳細な説明】
【技術分野】
【０００１】
本発明は、キャップ付き容器及びキャップ付き容器詰め品に関する。
【背景技術】
【０００２】
内容量が空に近づいたことを姿勢の変化で示す容器としては、例えば、特許文献１、２に記載されたものがある。
【０００３】
特許文献１の容器は、水平方向における片側に偏倚した位置に配置されたおもりを有し、内容量が多いときには直立し、内容量が少なくなってくるとおもりの重みによって片側に傾斜するようになっている。
【０００４】
特許文献２の容器は、内容量が多い状態では内容物の重みによって横倒しとなり、内容量が空に近づくと次第に起き上がり最終的に直立するようになっている。
【先行技術文献】
【特許文献】
【０００５】
【特許文献１】特開昭４８−６４５１２号公報
【特許文献２】特開平８−５８７５８号公報
【発明の概要】
【発明が解決しようとする課題】
【０００６】
特許文献１の技術では、空の容器を自立させた状態で内容物を充填しようとすると、内容量が少ないときには容器が片側に傾斜した状態となるが、内容量が一定量以上となると容器が直立状態になると考えられる。
一方、特許文献２の技術では、空の容器を自立させた状態で内容物を充填しようとすると、当初は容器が直立した状態であるが、内容量が増えるのに伴い次第に容器が傾倒し、最終的には容器が横倒しになると考えられる。
よって、これらの技術においては、内容物の充填の際に、容器における内容物の投入口の位置が変動してしまうため、内容物の充填が困難である。
【０００７】
本発明は、上記の課題に鑑みなされたものであり、内容量が空に近づいたことを姿勢の変化で示すことができ、且つ、自立させた状態で内容物の充填を容易に行うことが可能な容器に関する。
【課題を解決するための手段】
【０００８】
本発明は、内容物の投入口となる開口を有し、前記内容物を貯留する容器本体と、前記容器本体に対して装着されるキャップと、を備え、前記キャップが前記容器本体に対して非装着の状態では、前記容器本体は、前記内容物の貯留量にかかわらず第１の姿勢で自立可能であり、前記キャップが前記容器本体に対して装着された状態では、前記容器本体は、前記貯留量が第１量のときには前記第１の姿勢で自立可能であり、前記貯留量が前記第１量よりも少ない第２量のときには、前記第１の姿勢に対して傾斜した第２の姿勢で自立するキャップ付き容器。
【０００９】
また、本発明は、本発明のキャップ付き容器と、前記容器本体に充填された内容物と、を備えるキャップ付き容器詰め品を提供するものである。
【発明の効果】
【００１０】
本発明によれば、容器本体における内容物の貯留量、すなわち内容量が空に近づいたことを、容器本体の姿勢の変化で示すことができ、且つ、容器本体を自立させた状態で内容物の充填を容易に行うことが可能となる。
【図面の簡単な説明】
【００１１】
【図１】図１（ａ）及び図１（ｂ）の各々は第１の実施形態に係るキャップ付き容器の側面図であり、このうち図１（ａ）は内容量が一定量以上の状態を示し、図１（ｂ）は内容量が空に近づいたときの状態を示す。
【図２】図２（ａ）及び図２（ｂ）の各々は第１の実施形態に係るキャップ付き容器の容器本体の側面図であり、このうち図２（ａ）は内容量が空に近い状態を示し、図２（ｂ）は内容物を補充したときの状態を示す。
【図３】図３（ａ）及び図３（ｂ）の各々は第２の実施形態に係るキャップ付き容器の側面図であり、このうち図３（ａ）は内容量が一定量以上の状態を示し、図３（ｂ）は内容量が空に近づいたときの状態を示す。
【図４】図４（ａ）及び図４（ｂ）の各々は第２の実施形態に係るキャップ付き容器の容器本体の側面図であり、このうち図４（ａ）は内容量が空に近い状態を示し、図４（ｂ）は内容物を補充したときの状態を示す。
【図５】図５（ａ）及び図５（ｂ）の各々は第３の実施形態に係るキャップ付き容器の側面図であり、このうち図５（ａ）は内容量が一定量以上の状態を示し、図５（ｂ）は内容量が空に近づいたときの状態を示す。
【図６】図６（ａ）及び図６（ｂ）の各々は第３の実施形態に係るキャップ付き容器の容器本体の側面図であり、このうち図６（ａ）は内容量が空に近い状態を示し、図６（ｂ）は内容物を補充したときの状態を示す。
【図７】図７（ａ）及び図７（ｂ）の各々は第４の実施形態に係るキャップ付き容器の側面図であり、このうち図７（ａ）は内容量が一定量以上の状態を示し、図７（ｂ）は内容量が空に近づいたときの状態を示す。
【図８】図８（ａ）及び図８（ｂ）の各々は第４の実施形態に係るキャップ付き容器の容器本体の側面図であり、このうち図８（ａ）はキャップ基部が装着された状態の容器本体を示し、図８（ｂ）はキャップ基部が非装着の状態の容器本体を示す。
【図９】図９（ａ）及び図９（ｂ）の各々は第５の実施形態に係るキャップ付き容器の側面図であり、このうち図９（ａ）は内容量が一定量以上の状態を示し、図９（ｂ）は内容量が空に近づいたときの状態を示す。
【図１０】図１０（ａ）及び図１０（ｂ）の各々は第６の実施形態に係るキャップ付き容器の側面図であり、このうち図１０（ａ）は内容量が一定量以上の状態を示し、図１０（ｂ）は内容量が空に近づいたときの状態を示す。
【発明を実施するための形態】
【００１２】
以下、本発明の実施形態について、図面を用いて説明する。なお、すべての図面において、同様の構成要素には同一の符号を付し、重複する説明は適宜に省略する。
【００１３】
〔第１の実施形態〕
図１及び図２を用いて第１の実施形態を説明する。
本実施形態に係るキャップ付き容器１は、内容物２の投入口となる開口３を有し、内容物２を貯留する容器本体４と、容器本体４に対して装着されるキャップ５と、を備えている。
キャップ５が容器本体４に対して非装着の状態では、容器本体４は、内容物２の貯留量にかかわらず第１の姿勢（図２（ａ）、図２（ｂ）の姿勢）で自立可能である。
キャップ５が容器本体４に対して装着された状態では、容器本体４は、貯留量が第１量のときには第１の姿勢（図１（ａ）の姿勢）で自立可能であり、貯留量が第１量よりも少ない第２量のときには、第１の姿勢に対して傾斜した第２の姿勢（図１（ｂ）の姿勢）で自立する。
なお、以下では、容器本体４内における内容物２の貯留量を、単に内容量という場合がある。
【００１４】
また、本実施形態に係るキャップ付き容器詰め品１０は、本実施形態に係るキャップ付き容器１と、容器本体４に充填された内容物２と、を備える。
【００１５】
ここで、内容物２の種類は特に限定されず、液体又は固体のいずれであっても良い。
液体の内容物２としては、例えば、洗剤、石けん、洗濯のり、接着のり、調味料などが挙げられる。
固体の内容物２は、例えば、粉状、粒状、又はブロック状のものとすることができる。
固体の内容物２としては、例えば、洗剤、入浴剤、調味料などが挙げられる。
キャップ付き容器詰め品１０、キャップ付き容器１又は容器本体４を載置するとは、容器本体４の底部６が水平且つ平坦な載置面９に接触する状態で、キャップ付き容器詰め品１０、キャップ付き容器１又は容器本体４を載置面９に置くことを意味する。本実施形態の場合、第１底部６ａ又は第２底部６ｂが載置面９に接地する状態でキャップ付き容器詰め品１０、キャップ付き容器１又は容器本体４を載置面９に置くことを載置するという。
【００１６】
キャップ５の構造は特に限定されない。キャップ５は、例えば、スプレー式のもの、ポンプ式のもの、単なる蓋、又は、計量機能付きの蓋、などとすることができる。
キャップ５は、容器本体４に対して着脱可能に装着されるものであっても良いし、容器本体４からの取り外しは想定されていない固定式のものであっても良い。
キャップ５が容器本体４に対して着脱可能である場合、内容物２の補充（詰め替え等）が可能となる。この場合、容器本体４が第２の姿勢となることによって、内容物２の補充の時期の報知が可能である。
キャップ５が容器本体４に対して固定式である場合、キャップ付き容器詰め品１０は、内容物２が空になったら廃棄される使い切りのタイプとすることができる。
キャップ５は、例えば、開口３を閉塞する状態で容器本体４に装着される。
【００１７】
容器本体４は、有底の中空形状のものであり、例えば、図２（ａ）及び図２（ｂ）に示すように、側周囲を囲む壁部により構成された胴部７と、胴部７の下端部を閉塞している底部６と、胴部７の上端に連接されている口頸部８と、を備えている。
口頸部８は、容器本体４の内部領域である貯留領域４ａへの内容物２の投入口となる開口３を有している。口頸部８の周囲にはねじ山が形成されており、口頸部８は雄ねじ形状となっている。
【００１８】
容器本体４の底部６は、第１の姿勢（図１（ａ）、図２（ａ）、図２（ｂ））のときに接地する第１底部６ａと、第２の姿勢のときに接地する第２底部６ｂと、を含む。
第１底部６ａは、キャップ付き容器１が載置される水平且つ平坦な載置面９に対して面接触する形状、すなわち平面形状に形成されていても良いし、線接触或いは点接触する形状に形成されていても良い。ここで、本実施形態において第１底部６ａが載置面９に線接触するとは、平面を張る（平面を形成する）形状又は位置関係の、１つ又は複数の曲線又は直線において、第１底部６ａと載置面９とが接触することを意味する。また、本実施形態において第１底部６ａが載置面９に点接触するとは、平面を張る（平面を形成する）位置関係の３つ以上の点において第１底部６ａと載置面９とが接触すること、すなわち、第１直線上に存在する第１及び第２の点と、第１直線上には存在しない第３の点と、を含む３つ以上の点において第１底部６ａと載置面９とが接触することを意味する。
同様に、第２底部６ｂは、載置面９に対して面接触する平面形状に形成されていても良いし、線接触或いは点接触する形状に形成されていても良い。
図１（ａ）に示すように、第１底部６ａが載置面９に接地した状態では、第２底部６ｂは載置面９の上方に浮き上がった状態となる一方で、図１（ｂ）に示すように、第２底部６ｂが載置面９に接地した状態では、第１底部６ａが載置面９の上方に浮き上がった状態となる。
なお、図１（ａ）、図２（ａ）及び図２（ｂ）には、第１底部６ａ及び第２底部６ｂが、それぞれ、載置面９に対して面接触する形状となっている例を示している。底部６は、例えば、平面視において楕円形、長円形、円形などのオーバルな形状に形成されており、第１底部６ａ及び第２底部６ｂは、それぞれ平面視において、当該オーバルな形状を２つに分割した半月状となっている。
ここで、図１（ａ）の左方（後述するように前方）から見たときの、底部６（第１底部６ａ）と載置面９との接触部分の形状は、直線状となっている。同様に、図１（ｂ）の左方（前方）から見たときの、底部６（第２底部６ｂ）と載置面９との接触部分の形状は、直線状となっている。
【００１９】
第１底部６ａと第２底部６ｂとは相互に隣接して配置されている。底部６は、更に、第１底部６ａと第２底部６ｂとを相互に仕切る境界部６ｃを含んでいる。境界部６ｃは、例えば、直線状に形成されており、図１（ａ）、（ｂ）、図２（ａ）、（ｂ）の各図の紙面の奥行き方向に延在している。
本実施形態の場合、容器本体４は、境界部６ｃを回転軸として転動することにより、第１底部６ａが接地する第１の姿勢（図１（ａ）、図２（ａ）、図２（ｂ））から第２底部６ｂが接地する第２の姿勢（図１（ｂ））へ、或いは、第２の姿勢から第１の姿勢へ、姿勢変化できるようになっている。
境界部６ｃの側断面形状は、下に凸の曲線状であることが好ましい。すなわち、境界部６ｃは、下に凸の曲面状の形状（Ｒ面取り形状（Round Chamfering Shape））であることが好ましい。このようにすることにより、第１の姿勢と第２の姿勢との間の切り替えがスムーズになる。
【００２０】
ここで、内容物２を含むキャップ付き容器詰め品１０の総体の重心を重心Ｃ１と称し、キャップ５の重心を重心Ｃ２と称し、キャップ付き容器詰め品１０からキャップ５を除いたもの、すなわち容器本体４と内容物２との総体の重心を重心Ｃ３と称することとする。
なお、各図において、重心Ｃ１、Ｃ２、Ｃ３の位置は模式的に示したものであり、本実施形態を含むすべての実施形態について、図示される重心Ｃ１、Ｃ２、Ｃ３の位置は必ずしも正確なものではない。
【００２１】
内容量が一定量以上の状態では、図１（ａ）に示すように第１底部６ａが接地する状態（第１の姿勢）で容器本体４を載置面９上に載置したときには、重心Ｃ１は、境界部６ｃを通る鉛直な面（以下、鉛直面３１）よりも第１底部６ａ側に位置する。このため、第１の姿勢で容器本体４を載置すると、キャップ付き容器詰め品１０は、その姿勢に維持される。
すなわち、容器本体４、ひいては、キャップ付き容器１及びキャップ付き容器詰め品１０は、内容量が一定量以上のときには、第１の姿勢で自立可能である。
【００２２】
更に、内容量が一定量以上のときには、第２底部６ｂが接地する状態（第２の姿勢）で容器本体４を載置面９上に載置したときにも、重心Ｃ１は、鉛直面３１よりも第１底部６ａ側に位置することが好ましい。この場合、第２の姿勢で容器本体４を載置した状態から、使用者がキャップ付き容器詰め品１０から手を離すと、キャップ付き容器詰め品１０は、境界部６ｃを回転軸として転動することにより、第２の姿勢から第１の姿勢へ姿勢変化し、その後は第１の姿勢に維持される。
すなわち、内容量が一定量以上のときには、第１の姿勢で容器本体４を載置するか、第２の姿勢で容器本体４を載置するか、或いは、第１の姿勢と第２の姿勢との中間の姿勢で容器本体４を載置するかにかかわらず、キャップ５が容器本体４に対して装着された状態のキャップ付き容器詰め品１０は、第１の姿勢で自立するようになっていることが好ましい。
【００２３】
ただし、重心Ｃ１と鉛直面３１との位置関係は、内容量に応じて変化するようになっている。すなわち、内容量が減少することにより、第１の姿勢での重心Ｃ１の位置は、図１（ａ）に示される矢印Ａ方向に移動し、やがて、鉛直面３１をまたいで鉛直面３１よりも第２底部６ｂ側の位置となる。
すなわち、内容量が一定量未満の状態（内容量が空の場合も含む）では、重心Ｃ１は、鉛直面３１よりも第２底部６ｂ側に位置する。
内容量が一定量未満の状態では、第１底部６ａが接地する状態（第１の姿勢）で容器本体４を載置面９上に載置したときには、重心Ｃ１は、鉛直面３１よりも第２底部６ｂ側に位置する。このため、第１の姿勢で容器本体４を載置した状態から、使用者がキャップ付き容器詰め品１０から手を離すと、キャップ付き容器詰め品１０は、境界部６ｃを回転軸として転動することにより、第１の姿勢から第２の姿勢へ姿勢変化し、その後は第２の姿勢に維持される（図１（ｂ））。
なお、内容量が一定量未満の状態では、第２底部６ｂが接地する状態（第２の姿勢）で容器本体４を載置面９上に載置したときにも、重心Ｃ１は、鉛直面３１よりも第２底部６ｂ側に位置する。このため、第２の姿勢で容器本体４を載置すると、キャップ付き容器詰め品１０は、その姿勢に維持される（図１（ｂ））。
このように、容器本体４、ひいては、キャップ付き容器１及びキャップ付き容器詰め品１０は、内容量が一定量未満のときには、第２の姿勢で自立する。
なお、矢印Ａは、重心Ｃ１の移動方向の概略を示すものに過ぎず、重心Ｃ１の正確な移動軌跡を示すものではない（このことは、他の実施形態についても同様である）。
【００２４】
以上のように、キャップ５が容器本体４に対して装着された状態では、容器本体４は、内容量が一定量以上のときには、第１の姿勢で自立可能であり、内容量が一定量未満の状態では、第２の姿勢で自立する。
換言すれば、キャップ５が容器本体４に対して装着された状態では、容器本体は、内容量が第１量のときには第１の姿勢で自立可能であり、内容量が第１量よりも少ない第２量のときには、第１の姿勢に対して傾斜した第２の姿勢で自立する。
ここで、本実施形態では、第１量とは、第１の姿勢のときに、重心Ｃ１が鉛直面３１よりも第１底部６ａ側に位置するような、任意の量であり、第２量とは、第１の姿勢のときと第２の姿勢のときとのいずれにおいても、重心Ｃ１が鉛直面３１よりも第２底部６ｂ側に位置するような、任意の量である。ただし、本発明には、後述する第３の実施形態のように第１量及び第２量がこれに該当しない形態も含まれる。
【００２５】
上述のような動作を実現するため、重心Ｃ２及び重心Ｃ３の位置は、それぞれ以下のように設定されている。
図１（ａ）及び図１（ｂ）に示すように、キャップ５の重心Ｃ２は、第１の姿勢のときと第２の姿勢のときとのいずれにおいても、鉛直面３１よりも第２底部６ｂ側に位置するようになっている。
換言すれば、重心Ｃ２と鉛直面３１との間にそのような位置関係が成立するように、キャップ５が構成されているとともに、キャップ５が容器本体４に装着される。
一方、図１（ａ）、図２（ａ）及び図２（ｂ）に示すように、容器本体４と内容物２との総体の重心Ｃ３は、第１の姿勢のときには、内容量にかかわらず、鉛直面３１よりも第１底部６ａ側に位置する。
更に、重心Ｃ３は、第２の姿勢のときにも、内容量にかかわらず、鉛直面３１よりも第１底部６ａ側に位置することが好ましい。
【００２６】
すなわち、第１の姿勢のときには、内容量にかかわらず、重心Ｃ２と重心Ｃ３とは、鉛直面３１を境として互いに反対側に位置するようになっている。
更に、第２の姿勢のときにも、内容量にかかわらず、重心Ｃ２と重心Ｃ３とは、鉛直面３１を境として互いに反対側に位置するようになっていることが好ましい。
【００２７】
ここで、上記のように、内容量の減少に伴い、第１の姿勢のときの重心Ｃ１は図１（ａ）の矢印Ａ方向に移動し、最終的には鉛直面３１よりも第２底部６ｂ側に移る。すなわち、貯留量が第１量のときと第２量のときとでは、キャップ付き容器１と内容物２との総体の重心Ｃ１の位置が水平方向において互いに異なる。これにより、キャップ５が容器本体４に対して装着された状態において、容器本体４は、貯留量が第１量のときには第１の姿勢で自立可能であり、貯留量が第２量のときには、第２の姿勢で自立する。
なお、内容量が第１量のとき（一定量以上のとき）には、内容物２は、容器本体４が第１の姿勢から第２の姿勢へ姿勢変化することを抑制するための、おもりとして機能する。
【００２８】
例えば、容器本体４において、第１の姿勢のときに、鉛直面３１を境として第１底部６ａ側に位置する部分（図１（ａ）において鉛直面３１よりも左側の部分）の容積は、鉛直面３１を境として第２底部６ｂ側に位置する部分（図１（ａ）において鉛直面３１よりも右側の部分）の容積よりも大きいことが好ましい。
これにより、第１の姿勢のときと第２の姿勢のときとのいずれにおいても重心Ｃ３が鉛直面３１よりも第１底部６ａ側に位置する構成を好適に実現することができる。
図１（ａ）において鉛直面３１よりも左側の部分の容器本体４の容積は、図１（ａ）において鉛直面３１よりも右側の部分の容積と比べて、５０ｍｌ以上大きいことが好ましい。例えばこの容積は、キャップ重量分とバランスを取ることができる程度である。
【００２９】
また、容器本体４の胴部７は、第１の姿勢のときに第１底部６ａ側と第２底部６ｂ側とのうち第１底部６ａ側の側方（図１（ａ）において左側）に第１底部６ａよりも膨出した状態となる膨出部７ａを有している。換言すれば、膨出部７ａは、第１の姿勢のときに第１底部６ａよりも第２底部６ｂ側とは反対側の側方（図１（ａ）において左側）に膨出した状態となる。
後述するノズル１３の突出方向を前方とすると、膨出部７ａは、胴部７の前部から前方に膨出している。
これにより、第１の姿勢のときと第２の姿勢のときとのいずれにおいても重心Ｃ３が鉛直面３１よりも第１底部６ａ側に位置する構成を好適に実現できる。更に、容器本体４において、第１の姿勢のときに、鉛直面３１を境として第１底部６ａ側に位置する部分の容積が、鉛直面３１を境として第２底部６ｂ側に位置する部分の容積よりも大きい構成も好適に実現できる。
【００３０】
更に、胴部７において、膨出部７ａが形成されている部分に対して対向する部位（膨出部７ａが形成されている部分とは反対側の部位）には、容器本体４の内向きに凸の形状の窪み７ｂが形成されている。すなわち、窪み部７ｂは、胴部７の後部が前方に向けて窪んだ形状となっている。
このことによっても、第１の姿勢のときと第２の姿勢のときとのいずれにおいても重心Ｃ３が鉛直面３１よりも第１底部６ａ側に位置する構成を好適に実現できる。更に、容器本体４において、第１の姿勢のときに、鉛直面３１を境として第１底部６ａ側に位置する部分の容積が、鉛直面３１を境として第２底部６ｂ側に位置する部分の容積よりも大きい構成も好適に実現できる。
【００３１】
更に、胴部７の下端部において、窪み部７ｂの下方に位置する部分は、例えば、膨出部７ａの膨出方向に対して反対方向、すなわち第１底部６ａを基準として第２底部６ｂ側の方向に突出した形状の突出部７ｃとなっている。つまり、突出部７ｃは、胴部７の後部の下端部が後方に向けて突出した形状となっている。
この突出部７ｃは、内容量が少なくなったときにおいて、第１の姿勢から第２の姿勢への姿勢変化を促進する機能を持つ。
【００３２】
以下、キャップ５の構造の一例を説明する。
本実施形態の場合、キャップ５は、例えば、内容物２をスプレー方式で吐出する形態のものである。そして、内容物２は、例えば、液体であるものとする。
キャップ５は、例えば、キャップ本体１１、装着部１２、ノズル１３、ノズル基部１４、第１ヒンジ部１５、操作部１６、第２ヒンジ部１７、ピストン１８、支持部１９、取っ手２０及び吸入管２１を備えて構成されている。
装着部１２は、キャップ本体１１の下方に連接されている環状の部分であり、装着部１２の内周面には、口頸部８のねじ山と螺合するねじ山が形成されている。装着部１２を口頸部８に対して螺合させて装着することによって、キャップ５の全体が容器本体４に対して着脱可能に装着されるようになっている。
ノズル基部１４は、キャップ本体１１から上方に突出しており、ノズル１３はノズル基部１４から側方に突出している。ここで、ノズル１３の突出方向を、便宜的に前方ということとする。なお、本実施形態の場合、底部６の前部が第１底部６ａを構成し、底部６の後部が第２底部６ｂを構成している。
操作部１６は、貯留領域４ａ内の内容物２を、ノズル１３を介して吐出させる操作（以下、吐出操作）を使用者が行うためのものであり、本実施形態の場合は、使用者に押圧操作されるレバーである。操作部１６は、その前端部が、ノズル基部１４の上端部に対して第１ヒンジ部１５を介して回動可能に連結され、前端部と後端部との中間部が、第２ヒンジ部１７を介してピストン１８の上端部に対して回動可能に連結されている。第１ヒンジ部１５の回転軸と第２ヒンジ部１７の回転軸とは互いに平行となっており、例えば、それぞれ水平に設定されている。操作部１６は、例えば、その前端部を基準として、後端部側に向かって、斜め上後方に延びている。
ピストン１８は、例えば、上下に延在するように配置されている。支持部１９は、キャップ本体１１から上方に突出する状態でキャップ本体１１に設けられている。ピストン１８の下部は、支持部１９に挿入されており、該支持部１９に対して相対的に上下動可能となっている。
取っ手２０は、支持部１９に固定されており、例えば、支持部１９から後方に向けて水平に延びる部分と、当該水平に延びる部分の後端から下方に延びる部分と、を備えている。
吸入管２１は、その上端が、キャップ本体１１内に設けられた図示しないポンプ機構に連結されており、下端が貯留領域４ａの下部に配置されている。
本実施形態の場合、吐出操作は、操作部１６の後端部を下方に押圧する操作である。ピストン１８は、図示しないバネによって上方に付勢されており、吐出操作によって、バネの付勢に抗して下方に移動する。ポンプ機構によりキャップ本体１１に吸い上げられた内容物２は、吐出操作によって、ノズル基部１４及びノズル１３を介して吐出される。また、操作部１６に対する押し込み操作が解除されてピストン１８と操作部１６の後端部とが吐出操作前の位置に復帰する際に、ポンプ機構は、吸入管２１を介して貯留領域４ａ内の内容物２を吸い上げるようになっている。
【００３３】
ここで、上述したような、鉛直面３１、第１底部６ａ及び第２底部６ｂに対する各重心Ｃ１、Ｃ２、Ｃ３の位置関係は、ノズル１３の突出方向と膨出部７ａの膨出方向とが一致した状態で、容器本体４に対してキャップ５が装着されることによって、成立するようになっている。
このため、ノズル１３の突出方向と膨出部７ａの膨出方向とが一致した状態で、容器本体４に対してキャップ５を装着することを容易になしうるように、装着部１２には位置合わせマーク２２が、胴部７の上端部には位置合わせマーク２３が、それぞれ形成されていることが好ましい。
装着部１２を口頸部８に螺合させて装着する際に、例えば、図１（ａ）及び図１（ｂ）に示すように位置合わせマーク２２と位置合わせマーク２３とが上下に並ぶ螺合深さまで装着部１２を口頸部８に対して螺合させることによってノズル１３の突出方向と膨出部７ａの膨出方向とが一致するように、位置合わせマーク２２及び位置合わせマーク２３の位置がそれぞれ設定されている。
【００３４】
ここで、容器本体４内における吸入管２１の配置は特に限定されず、吸入管２１は、キャップ本体１１から鉛直下方に垂下していても良い。
ただし、吸入管２１は、好ましくは、図１（ａ）及び図１（ｂ）に示すように、少なくとも下部が後方に向けて屈曲していて、吸入管２１の下端部が、第２底部６ｂの近傍で、且つ、突出部７ｃ内の位置又は突出部７ｃの近傍の位置に配置されている。このようにすることにより、図１（ｂ）に示すように第２の姿勢となったときに、貯留領域４ａの下端部に残留する内容物２も好適に吸入管２１によって吸引できるようになるとともに、吸入管２１の下端部の重みによって、第１の姿勢から第２の姿勢への姿勢変化を促進することも可能となる。
【００３５】
ここで、図２（ａ）及び図２（ｂ）に示すように、第１の姿勢のときには、口頸部８の開口３の軸心３２が、鉛直方向に延在するようになっている。したがって、第２の姿勢のときには、軸心３２は、鉛直方向に対して傾斜した状態となる。
なお、第１の姿勢の時における軸心３２が、鉛直方向に対して傾斜していても良い。ただし、この場合も、第２の姿勢のときにおける軸心３２の向きと比べて、第１の姿勢のときにおける軸心３２の向きが鉛直方向に近いことが好ましい。
このように、第１の姿勢のときには、第２の姿勢のときと比べて、開口３の軸心方向（軸心３２が延在する方向）の鉛直方向に対する角度が小さい（鉛直方向と開口３の軸心方向とのなす角度が小さい）構成とすることにより、容器本体４に対する内容物２の充填作業をより容易に行うことができる。
【００３６】
次に、動作の例を説明する。
【００３７】
キャップ付き容器詰め品１０を使用（吐出操作を行うことによって、容器本体４内の内容物２を、ノズル１３を介して吐出すること）した後、内容量が一定量以上のときに、第１底部６ａが接地する第１の姿勢でキャップ付き容器詰め品１０を載置面９に載置した場合には、キャップ付き容器詰め品１０は、図１（ａ）に示すように、第１の姿勢で自立する。
ここで、キャップ付き容器詰め品１０を使用した後、内容量が一定量以上のときに、第２底部６ｂが接地する第２の姿勢でキャップ付き容器詰め品１０を載置面９上に載置した場合に、重心Ｃ１が鉛直面３１よりも第１底部６ａ側に位置するならば、キャップ付き容器詰め品１０は、境界部６ｃを回転軸として転動することにより、第２の姿勢から第１の姿勢へ姿勢変化し、その後は第１の姿勢で自立する。
【００３８】
ところが、内容量が減ってきて、キャップ付き容器詰め品１０を使用した後の内容量が一定量未満となった場合には、キャップ付き容器詰め品１０を載置面９に載置すると、キャップ付き容器詰め品１０は、図１（ｂ）に示すように、第２の姿勢で自立する。
すなわち、第１底部６ａが接地する第１の姿勢でキャップ付き容器詰め品１０を載置面９に載置したときには、キャップ付き容器詰め品１０は、境界部６ｃを回転軸として転動することにより、第１の姿勢から第２の姿勢へ姿勢変化し、その後は第２の姿勢で自立する。
また、第２底部６ｂが接地する第２の姿勢でキャップ付き容器詰め品１０を載置面９に載置したときには、キャップ付き容器詰め品１０は、第２の姿勢で自立し続ける。
したがって、キャップ付き容器詰め品１０の使用者は、内容量が空に近づいていることを容易に認識することができる。よって、キャップ付き容器詰め品１０が、内容物２の補充が可能なタイプのものである場合には、内容物２を補充することができる。
なお、キャップ付き容器詰め品１０は、使い切りタイプのものであっても良く、その場合、使用者は、キャップ付き容器詰め品１０が空になってしまう前に新しいキャップ付き容器詰め品１０を準備することなどができる。
【００３９】
上記のように、重心Ｃ３は、第１の姿勢のときには、内容量にかかわらず、鉛直面３１よりも第１底部６ａ側に位置する。
したがって、キャップ５が容器本体４に対して非装着の状態では、容器本体４は、内容量にかかわらず、第１の姿勢で載置されたときには、第１の姿勢で自立する。
すなわち、キャップ５が容器本体４に対して非装着の状態では、容器本体４は、内容物２の貯留量にかかわらず第１の姿勢で自立可能である。
このため、キャップ付き容器詰め品１０の製造の際や、内容物２の補充（詰め替え等）の際において、容器本体４に対する内容物２の充填作業を容易に行うことができる。
また、上記のように、重心Ｃ３は、第２の姿勢のときにも、内容量にかかわらず、鉛直面３１よりも第１底部６ａ側に位置することが好ましく、この場合、容器本体４は、内容量にかかわらず、第１の姿勢で載置されたときと第２の姿勢で載置されたときとのいずれの場合にも、第１の姿勢で自立する。
【００４０】
以上のような第１の実施形態によれば、キャップ５が容器本体４に対して非装着の状態では、容器本体４は、内容物２の貯留量にかかわらず第１の姿勢で自立可能である。
一方、キャップ５が容器本体４に対して装着された状態では、容器本体４は、貯留量が第１量のときには第１の姿勢で自立可能であり、貯留量が第１量よりも少ない第２量のときには、第１の姿勢に対して傾斜した第２の姿勢で自立する。
よって、容器本体４における内容物２の貯留量、すなわち内容量が空に近づいたことを、容器本体４の姿勢の変化で示すことができ、且つ、容器本体４を自立させた状態で内容物２の充填を容易に行うことが可能となる。
また、本実施形態の場合、第１底部６ａ及び第２底部６ｂが平面状などの形状となっており、容器本体４は第１底部６ａ又は第２底部６ｂのいずれか一方が載置面９に沿って延在する姿勢で自立するため、第１の姿勢と第２の姿勢との違いが明確となる。よって、第１の姿勢から第２の姿勢に変化したことを認知しやすい。
【００４１】
なお、第１底部６ａと第２底部６ｂとの各々の前後方向の長さは、第１の姿勢及び第２の姿勢の各々の安定性と、姿勢の変更のし易さを考慮して設定される。内容物２の充填の際の容器本体４の安定性の観点から、第１底部６ａの長さの方が長いことが好ましい。
【００４２】
〔第２の実施形態〕
次に、図３及び図４を用いて第２の実施形態を説明する。
本実施形態に係るキャップ付き容器１及びキャップ付き容器詰め品１０は、以下に説明する点で、上記の第１の実施形態に係るキャップ付き容器１及びキャップ付き容器詰め品１０と相違し、その他の点では、上記の第１の実施形態に係るキャップ付き容器１及びキャップ付き容器詰め品１０と同様に構成されている。
【００４３】
本実施形態の場合、ノズル基部１４の下部はキャップ本体１１から起立し、ノズル基部１４の上部は、ノズル基部１４の下部の上端から斜め上前方に向けて突出しており、ノズル基部１４の先端部にノズル１３が設けられている。
操作部１６は、ピストン１８の上端に固定されている。なお、本実施形態の場合、キャップ付き容器１は、第１ヒンジ部１５及び第２ヒンジ部１７（図１）を備えていない。
また、取っ手２０は、例えば、指を掛けやすい環状に形成されている。
【００４４】
本実施形態の場合も、ノズル１３の突出方向（図３（ａ）において左方）を前方ということとする。本実施形態の場合、底部６の後部が第１底部６ａを構成し、底部６の前部が第２底部６ｂを構成している。
膨出部７ａは、胴部７の後部から後方に膨出している。窪み部７ｂは、胴部７の前部が後方に向けて窪んだ形状となっている。また、突出部７ｃは、胴部７の前部の下端部が前方に向けて突出した形状となっている。
【００４５】
本実施形態の場合も、鉛直面３１、第１底部６ａ及び第２底部６ｂに対する各重心Ｃ１、Ｃ２、Ｃ３の位置関係は、第１の実施形態と同様である。
ただし、このような位置関係は、ノズル１３の突出方向と膨出部７ａの膨出方向とが反対向きとなる状態で、容器本体４に対してキャップ５が装着されることによって、成立するようになっている。
このため、ノズル１３の突出方向と膨出部７ａの膨出方向とが反対方向となる状態で、容器本体４に対してキャップ５を装着することを容易になしうるように、装着部１２には位置合わせマーク２２が、胴部７の上端部には位置合わせマーク２３が、それぞれ形成されていることが好ましい。
【００４６】
本実施形態の場合も、容器本体４内における吸入管２１の配置は特に限定されない。
ただし、吸入管２１は、好ましくは、図３（ａ）及び図３（ｂ）に示すように、少なくとも下部が前方に向けて屈曲していて、吸入管２１の下端部が、第２底部６ｂの近傍で、且つ、突出部７ｃ内の位置又は突出部７ｃの近傍の位置に配置されている。このようにすることにより、図３（ｂ）に示すように第２の姿勢となったときに、貯留領域４ａの下端部に残留する内容物２も好適に吸入管２１によって吸引できるようになるとともに、吸入管２１の下端部の重みによって、第１の姿勢から第２の姿勢への姿勢変化を促進することも可能となる。
【００４７】
本実施形態の場合も、キャップ５が容器本体４に対して装着された状態では、内容量が一定量以上の場合には、容器本体４は、第１の姿勢で自立可能である。
すなわち、内容量が一定量以上の場合には、キャップ付き容器詰め品１０を使用した後、第１底部６ａが接地する第１の姿勢でキャップ付き容器詰め品１０を載置面９に載置すると、キャップ付き容器詰め品１０は、図３（ａ）に示すように、第１の姿勢で自立する。
【００４８】
更に、内容量が一定量以上の場合に、第２底部６ｂが接地する第２の姿勢でキャップ付き容器詰め品１０を載置面９上に載置したときにも、重心Ｃ１が鉛直面３１よりも第１底部６ａ側に位置することが好ましい。この場合には、キャップ付き容器詰め品１０を使用した後、第２の姿勢でキャップ付き容器詰め品１０を載置面９に載置したときには、キャップ付き容器詰め品１０は、境界部６ｃを回転軸として転動することにより、第２の姿勢から第１の姿勢へ姿勢変化し、その後は第１の姿勢で自立する。
すなわち、内容量が一定量以上のときには、第１の姿勢で容器本体４を載置するか、第２の姿勢で容器本体４を載置するか、或いは、第１の姿勢と第２の姿勢との中間の姿勢で容器本体４を載置するかにかかわらず、キャップ５が容器本体４に対して装着された状態のキャップ付き容器詰め品１０は、第１の姿勢で自立するようになっていることが好ましい。
【００４９】
また、内容量が減ってきて、一定量未満となった場合には、キャップ付き容器詰め品１０を使用した後、キャップ付き容器詰め品１０を載置面９に載置すると、キャップ付き容器詰め品１０は、図３（ｂ）に示すように、第２の姿勢で自立する。
すなわち、第１底部６ａが接地する第１の姿勢でキャップ付き容器詰め品１０を載置面９に載置したときには、キャップ付き容器詰め品１０は、境界部６ｃを回転軸として転動することにより、第１の姿勢から第２の姿勢へ姿勢変化し、その後は第２の姿勢で自立する。
また、第２底部６ｂが接地する第２の姿勢でキャップ付き容器詰め品１０を載置面９に載置したときには、キャップ付き容器詰め品１０は、第２の姿勢で自立し続ける。
したがって、キャップ付き容器詰め品１０の使用者は、内容量が空に近づいていることを容易に認識することができる。
【００５０】
また、本実施形態の場合も、キャップ５が容器本体４に対して非装着の状態では、容器本体４は、内容量にかかわらず、第１の姿勢で載置されたときには、第１の姿勢で自立する（図４（ａ）、図４（ｂ））。よって、容器本体４を自立させた状態で内容物２の充填を容易に行うことができる。
また、キャップ５が容器本体４に対して非装着の状態では、容器本体４は、内容量にかかわらず、第２の姿勢で載置されたときにも、第１の姿勢で自立することが好ましい。このようにすることによって、容器本体４を自立させた状態での内容物２の充填をより容易に行うことができる。
【００５１】
本実施形態によっても、第１の実施形態と同様の効果が得られる。
【００５２】
なお、本実施形態の場合も、第１底部６ａと第２底部６ｂとの前後方向の長さのうち、第１底部６ａの長さの方が長いことが好ましい。
【００５３】
〔第３の実施形態〕
次に、図５及び図６を用いて第３の実施形態を説明する。
本実施形態に係るキャップ付き容器１及びキャップ付き容器詰め品１０は、以下に説明する点で、上記の第１の実施形態に係るキャップ付き容器１及びキャップ付き容器詰め品１０と相違し、その他の点では、上記の第１の実施形態に係るキャップ付き容器１及びキャップ付き容器詰め品１０と同様に構成されている。
【００５４】
本実施形態の場合、底部６は、下方に向けて凸の、断面弧状の曲面状に形成されている。本実施形態の場合、底部６は、載置面９に対して直線状に（図５及び図６の奥行き方向に延びる直線状に）線接触するようになっている。ここで、図５（ａ）の左方（前方）から見たときの、底部６（第１底部６ａ）と載置面９との接触部分の形状は、直線状となっている。同様に、図５（ｂ）の左方（前方）から見たときの、底部６（第２底部６ｂ）と載置面９との接触部分の形状は、直線状となっている。
底部６と載置面９との線接触部分を通る鉛直な面を鉛直面３３と称することとする。
本実施形態の場合、内容量にかかわらず、キャップ付き容器詰め品１０の総体の重心である重心Ｃ１が鉛直面３３上に位置する状態で、キャップ付き容器詰め品１０の重量の釣り合いがとれる。
【００５５】
ここで、第１の実施形態では、第１底部６ａと第２底部６ｂとの間に境界部６ｃが存在する例を説明したが、本実施形態の場合、第１底部６ａと第２底部６ｂとの間に明確な境界は存在していない。
本実施形態の場合、内容量が減少するのに伴い、容器本体４は、徐々に後傾する。本実施形態の場合、第１の姿勢、第２の姿勢とも、一義的な姿勢でなく、所定の範囲を持つ姿勢を意味する。
容器本体４にキャップ５が装着された状態では、貯留量が相対的に多い第１量のときには、図５（ａ）に示すように、容器本体４は第１の姿勢で自立する。
一方、内容量が第１量よりも少ない第２量のときには、図５（ｂ）に示すように、容器本体４は第２の姿勢で自立する。第２の姿勢は、第１の姿勢よりも、容器本体４が後傾した姿勢である。
したがって、内容量が空に近づくことによって、容器本体４がある程度以上後傾することにより、使用者は、内容量が空に近づいていることを認識することができる。
本実施形態の場合、第２量は、第１量よりも少ない任意の量であるとともに、第１量は、第２量よりも多い任意の量である。
【００５６】
キャップ５が容器本体４に対して非装着の状態では、図６（ａ）及び（ｂ）に示すように、容器本体４は、内容量にかかわらず、図５（ｂ）に示される第２の姿勢よりも容器本体４が前傾した状態で、容器本体４が自立する。
更に言えば、内容量が同じであれば、図５（ａ）に示される姿勢よりも更に前傾した姿勢で、容器本体４が自立する。
ここで、キャップ５が容器本体４に対して非装着の状態では、容器本体４の姿勢は、キャップ５の重量の影響を受けないため、キャップ５が装着されているときと比べて安定する。よって、容器本体４を自立させた状態での内容物２の充填を容易に行うことができる。
【００５７】
本実施形態の場合も、図６（ａ）及び（ｂ）に示すように、容器本体４に対してキャップ５が非装着の状態では、図５（ｂ）に示される第２の姿勢のときと比べて、開口３の軸心方向（軸心３２が延在する方向）が鉛直方向に近い。よって、容器本体４を自立させた状態での内容物２の充填をより容易に行うことができる。
【００５８】
このように、本実施形態によっても、容器本体４における内容物２の貯留量、すなわち内容量が空に近づいたことを、容器本体４の姿勢の変化で示すことができ、且つ、容器本体４を自立させた状態で内容物２の充填を容易に行うことが可能となる。
【００５９】
〔第４の実施形態〕
次に、図７及び図８を用いて第４の実施形態を説明する。
本実施形態に係るキャップ付き容器１及びキャップ付き容器詰め品１０は、以下に説明する点で、上記の第１の実施形態に係るキャップ付き容器１及びキャップ付き容器詰め品１０と相違し、その他の点では、上記の第１の実施形態に係るキャップ付き容器１及びキャップ付き容器詰め品１０と同様に構成されている。
【００６０】
本実施形態の場合、キャップ５は、キャップ基部２５と着脱キャップ２６とにより構成されている。
キャップ基部２５は、容器本体４の上端に形成された口頸部２８（図８（ｂ））に対して螺合することによって装着されている（図８（ａ））。
キャップ基部２５は、使用者が容器本体４から取り外すことは想定されてはおらず、キャップ付き容器１の製造時に容器本体４に対して装着される。
キャップ基部２５は、雄ねじ部２５ａと、雄ねじ部２５ａよりも小径に形成されていて、雄ねじ部２５ａの内側に配置され、且つ上方に向けて起立している注出口部２５ｂと、を備えている。
着脱キャップ２６は、計量機能付きのキャップであり、雄ねじ部２５ａに対して螺合することによって、キャップ基部２５に対して着脱可能に装着される。
使用者は、キャップ基部２５から着脱キャップ２６を取り外して着脱キャップ２６を裏返し、容器本体４を傾けることによって、貯留領域４ａ内の内容物２を、注出口部２５ｂを介して着脱キャップ２６内に注出するとともに計量して、内容物２を使用することができる。
本実施形態の場合、開口３は注出口部２５ｂに形成されており、着脱キャップ２６は、開口３を閉塞する状態でキャップ基部２５に対して着脱可能に装着される。
【００６１】
なお、キャップ５の重心である重心Ｃ２の位置が鉛直面３１よりも第２底部６ｂ側となる構成を容易に実現できるように、着脱キャップ２６における第２底部６ｂの上方位置（つまり着脱キャップ２６の後部）には、おもり２７が設けられている（例えば内蔵されている）。
ここで、おもり２７が着脱キャップ２６の後部に位置する状態で、キャップ基部２５に対して着脱キャップ２６を装着することを容易になしうるように、着脱キャップ２６には位置合わせマーク２２が、キャップ基部２５には位置合わせマーク２３が、それぞれ形成されていることが好ましい。
着脱キャップ２６をキャップ基部２５に螺合させて装着する際に、位置合わせマーク２２と位置合わせマーク２３とが上下に並ぶ螺合深さまで着脱キャップ２６をキャップ基部２５に対して螺合させることによって着脱キャップ２６の後部におもり２７が位置するように、位置合わせマーク２２及び位置合わせマーク２３の位置がそれぞれ設定されている。
【００６２】
また、キャップ付き容器詰め品１０の製造時には、容器本体４に対してキャップ基部２５及び着脱キャップ２６が非装着（未装着）の状態で、口頸部２８の開口２９を介して貯留領域４ａ内に内容物２が充填される。
【００６３】
図８（ａ）に示すように、キャップ基部２５が容器本体４に装着された状態での、キャップ基部２５、容器本体４及び内容物２の総体の重心Ｃ３は、第１の姿勢のときには、内容量にかかわらず、鉛直面３１よりも第１底部６ａ側に位置する。
更に、重心Ｃ３は、第２の姿勢のときにも、内容量にかかわらず、鉛直面３１よりも第１底部６ａ側に位置することが好ましい。
【００６４】
また、図８（ｂ）に示すように、キャップ基部２５が容器本体４に対して非装着の状態での、容器本体４及び内容物２の総体の重心Ｃ４は、第１の姿勢のときには、内容量にかかわらず、鉛直面３１よりも第１底部６ａ側に位置する。
更に、重心Ｃ４は、第２の姿勢のときにも、内容量にかかわらず、鉛直面３１よりも第１底部６ａ側に位置することが好ましい。
【００６５】
図８（ａ）に示すように、第１の姿勢のときには、開口３の軸心３２が、鉛直方向に延在するようになっている。したがって、第２の姿勢のときには、軸心３２は、鉛直方向に対して傾斜した状態となる。なお、第１の姿勢の時における軸心３２が、鉛直方向に対して傾斜していても良い。ただし、この場合も、第２の姿勢のときにおける軸心３２の向きと比べて、第１の姿勢のときにおける軸心３２の向きが鉛直方向に近いことが好ましい。
このように、第１の姿勢のときには、第２の姿勢のときと比べて、開口３の軸心方向（軸心３２が延在する方向）が鉛直方向に近い構成とすることにより、キャップ基部２５が装着された状態の容器本体４に対する内容物２の充填作業をより容易に行うことができる。
【００６６】
更に、図８（ｂ）に示すように、第１の姿勢のときには、口頸部２８の開口２９の軸心３４が、鉛直方向に延在するようになっている。したがって、第２の姿勢のときには、軸心３４は、鉛直方向に対して傾斜した状態となる。なお、第１の姿勢の時における軸心３４が、鉛直方向に対して傾斜していても良い。ただし、この場合も、第２の姿勢のときにおける軸心３４の向きと比べて、第１の姿勢のときにおける軸心３４の向きが鉛直方向に近いことが好ましい。
このように、第１の姿勢のときには、第２の姿勢のときと比べて、開口２９の軸心方向（軸心３４が延在する方向）が鉛直方向に近い構成とすることにより、キャップ基部２５が被装着の状態の容器本体４に対する内容物２の充填作業をより容易に行うことができる。
【００６７】
本実施形態の場合、容器本体４にキャップ基部２５及び着脱キャップ２６が装着された状態では、内容量が一定量以上のときには、図７（ａ）に示すように、容器本体４は第１の姿勢で自立可能である。すなわち、第１の姿勢で容器本体４を載置したときには、キャップ基部２５及び着脱キャップ２６が容器本体４に対して装着された状態のキャップ付き容器詰め品１０は、第１の姿勢で自立する。
一方、内容量が一定量未満のときには、図７（ｂ）に示すように、容器本体４は第２の姿勢で自立する。よって、内容量が空に近づいたことを、容器本体４の姿勢の変化で示すことができる。
【００６８】
なお、容器本体４にキャップ基部２５及び着脱キャップ２６が装着された状態では、内容量が一定量以上のときには、第１の姿勢で容器本体４を載置するか、第２の姿勢で容器本体４を載置するか、或いは、第１の姿勢と第２の姿勢との中間の姿勢で容器本体４を載置するかにかかわらず、キャップ５が容器本体４に対して装着された状態のキャップ付き容器詰め品１０は、第１の姿勢で自立するようになっていることが好ましい。
すなわち、好ましくは、キャップ基部２５及び着脱キャップ２６が容器本体４に対して装着された状態では、容器本体４は、内容量が第１量のときには第１の姿勢で自立し、内容量が第２量のときには、第２の姿勢で自立する。
【００６９】
また、図８（ａ）に示すように、容器本体４に対してキャップ基部２５は装着されているが、キャップ基部２５に対して着脱キャップ２６が非装着の状態では、内容量にかかわらず、容器本体４は第１の姿勢で自立可能である。すなわち、容器本体４を第１の姿勢で載置したときには、内容量にかかわらず、容器本体４が第１の姿勢に維持される。したがって、使用者は、容器本体４を自立させた状態で内容物２の補充を容易に行うことができる。
好ましくは、容器本体４に対してキャップ基部２５は装着されているが、キャップ基部２５に対して着脱キャップ２６が非装着の状態では、内容量にかかわらず、容器本体４は第１の姿勢で自立する。すなわち、内容量にかかわらず、第１の姿勢で容器本体４を載置するか、第２の姿勢で容器本体４を載置するか、或いは、第１の姿勢と第２の姿勢との中間の姿勢で容器本体４を載置するかにかかわらず、容器本体４が第１の姿勢で自立することが好ましい。
【００７０】
同様に、図８（ｂ）に示すように、容器本体４に対してキャップ基部２５及び着脱キャップ２６が非装着の状態でも、内容量にかかわらず、容器本体４は第１の姿勢で自立可能であり、好ましくは、内容量にかかわらず、容器本体４は第１の姿勢で自立する。したがって、製造時において、容器本体４を自立させた状態で内容物２の充填を容易に行うことができる。
【００７１】
なお、本実施形態の場合も、第１底部６ａと第２底部６ｂとの前後方向の長さのうち、第１底部６ａの長さの方が長いことが好ましい。
【００７２】
〔第５の実施形態〕
次に、図９を用いて第５の実施形態を説明する。
本実施形態に係るキャップ付き容器１及びキャップ付き容器詰め品１０は、以下に説明する点で、上記の第１の実施形態に係るキャップ付き容器１及びキャップ付き容器詰め品１０と相違し、その他の点では、上記の第１の実施形態に係るキャップ付き容器１及びキャップ付き容器詰め品１０と同様に構成されている。
【００７３】
本実施形態の場合、キャップ５は、ポンプ式であり、詳細にはキャップ本体１１から上方に向けて起立している内筒４２と、内筒４２の上部に対して外挿されている外筒４１と、外筒４１の上方に一体的に設けられている操作部１６と、操作部１６に対して一体的に設けられているとともに操作部１６の一側方に突出しているノズル１３と、を有する。本実施形態の場合、操作部１６を下方に押し込み操作することにより、内容物２が泡状体となってノズル１３から吐出される。
【００７４】
更に、キャップ５の重心である重心Ｃ２の位置が鉛直面３１よりも第２底部６ｂ側となる構成を容易に実現できるように、キャップ基部２５における第２底部６ｂの上方位置には、おもり２７が設けられている（例えば内蔵されている）。
なお、第２底部６ｂは、例えば、下方に向けて凸の曲面状に形成されている。
【００７５】
本実施形態の場合も、容器本体４にキャップ５が装着された状態では、内容量が一定量以上のときには、図９（ａ）に示すように、容器本体４は第１の姿勢で自立可能であり、好ましくは、容器本体４は第１の姿勢で自立する。一方、内容量が一定量未満のときには、図９（ｂ）に示すように、容器本体４は第２の姿勢で自立する。よって、内容量が空に近づいたことを、容器本体４の姿勢の変化で示すことができる。
また、図示は省略するが、容器本体４に対してキャップ５が非装着の状態では、内容量にかかわらず、容器本体４は第１の姿勢で自立可能である。よって、容器本体４を自立させた状態で内容物２の充填を容易に行うことができる。
【００７６】
このため、本実施形態によっても、第１の実施形態と同様の効果が得られる。
【００７７】
なお、本実施形態の場合も、第１底部６ａと第２底部６ｂとの前後方向の長さのうち、第１底部６ａの長さの方が長いことが好ましい。
【００７８】
〔第６の実施形態〕
次に、図１０を用いて第６の実施形態を説明する。
本実施形態に係るキャップ付き容器１及びキャップ付き容器詰め品１０は、以下に説明する点で、上記の第２の実施形態に係るキャップ付き容器１及びキャップ付き容器詰め品１０と相違し、その他の点では、上記の第２の実施形態に係るキャップ付き容器１及びキャップ付き容器詰め品１０と同様に構成されている。
【００７９】
本実施形態の場合、キャップ５は、トリガー式のキャップであり、装着部１２に対して装着部１２の軸周りに回転可能なキャップ本体１１と、キャップ本体１１から一側方に突出しているノズル１３と、キャップ本体１１におけるノズル１３側の端部から下方に延びていて使用者の指で引っ張り操作されるレバー（トリガー）である操作部１６と、を備えている。すなわち、トリガーである操作部１６も含めてキャップ５と称する。
【００８０】
本実施形態の場合も、鉛直面３１、第１底部６ａ及び第２底部６ｂに対する各重心Ｃ１、Ｃ２、Ｃ３の位置関係は、第２の実施形態と同様である。
ただし、このような位置関係は、ノズル１３の突出方向と膨出部７ａの膨出方向とが反対向きとなる状態で、容器本体４に対してキャップ５が装着されることによって、成立するようになっている。
ここで、装着部１２を容器本体４の口頸部（図示略）に対して螺合させて装着し、十分な強さで締め付けると、装着部１２に対するキャップ本体１１の回転が抑制されるようになっている。
そこで、本実施形態の場合は、ノズル１３の突出方向と膨出部７ａの膨出方向とが反対方向となる状態で、装着部１２に対するキャップ本体１１の回転が抑制された状態とすることを容易になしうるように、キャップ本体１１の下端部には位置合わせマーク４４が、装着部１２の上端部には位置合わせマーク４５が、それぞれ形成されていることが好ましい。
なお、第２底部６ｂは、例えば、下方に向けて凸の曲面状に形成されている。
【００８１】
本実施形態の場合、容器本体４にキャップ５が装着された状態では、内容量が一定量以上のときには、図１０（ａ）に示すように、容器本体４は第１の姿勢で自立可能であり、好ましくは、容器本体４は第１の姿勢で自立する。一方、内容量が一定量未満のときには、図１０（ｂ）に示すように、容器本体４は第２の姿勢で自立する。よって、内容量が空に近づいたことを、容器本体４の姿勢の変化で示すことができる。
また、図示は省略するが、容器本体４に対してキャップ５が非装着の状態では、内容量にかかわらず、容器本体４は第１の姿勢で自立可能である。よって、容器本体４を自立させた状態で内容物２の充填を容易に行うことができる。
【００８２】
このため、本実施形態によっても、第２の実施形態と同様の効果が得られる。
【００８３】
なお、本実施形態の場合も、第１底部６ａと第２底部６ｂとの前後方向の長さのうち、第１底部６ａの長さの方が長いことが好ましい。
【００８４】
以上、図面を参照して各実施形態を説明したが、これらは本発明の例示であり、上記以外の様々な構成を採用することもできる。
【００８５】
例えば、第１底部６ａが底部６の前部、第２底部６ｂが底部６の後部をそれぞれ構成している場合に、膨出部７ａが胴部７の後部から後方に向けて突出していても良い。すなわち、容器本体４は、第１の姿勢のときに第２底部６ｂよりも第１底部６ａ側とは反対側の側方に膨出した状態となる膨出部７ａを有していても良い。なお、膨出部７ａが胴部７の下部に配置されていることが好ましい。
【００８６】
上記実施形態は、以下の技術思想を包含するものである。
＜１＞内容物の投入口となる開口を有し、前記内容物を貯留する容器本体と、前記容器本体に対して装着されるキャップと、を備え、前記キャップが前記容器本体に対して非装着の状態では、前記容器本体は、前記内容物の貯留量にかかわらず第１の姿勢で自立可能であり、前記キャップが前記容器本体に対して装着された状態では、前記容器本体は、前記貯留量が第１量のときには前記第１の姿勢で自立可能であり、前記貯留量が前記第１量よりも少ない第２量のときには、前記第１の姿勢に対して傾斜した第２の姿勢で自立するキャップ付き容器。
＜２＞前記貯留量が前記第１量のときと前記第２量のときとでは、当該キャップ付き容器と前記内容物との総体の重心の位置が水平方向において互いに異なることによって、
前記キャップが前記容器本体に対して装着された状態において、前記容器本体は、前記貯留量が前記第１量のときには前記第１の姿勢で自立可能であり、前記貯留量が前記第２量のときには、前記第２の姿勢で自立する＜１＞に記載のキャップ付き容器。
＜３＞前記第１の姿勢のときには、前記第２の姿勢のときと比べて、前記開口の軸心方向の鉛直方向に対する角度が小さい＜１＞又は＜２＞に記載のキャップ付き容器。
＜４＞前記容器本体の底部は、前記第１の姿勢のときに接地する第１底部と、前記第２の姿勢のときに接地する第２底部と、を含み、前記容器本体の胴部は、前記第１の姿勢のときに前記第１底部側と前記第２底部側とのうち前記第１底部側の側方に前記第１底部よりも膨出した状態となる膨出部を有しているか、又は、前記第１の姿勢のときに前記第２底部側の側方に前記第２底部よりも膨出した状態となる膨出部を有している＜１＞から＜３＞のいずれか一項に記載のキャップ付き容器。
＜５＞前記キャップは前記容器本体に対して着脱可能に装着される＜１＞から＜４＞のいずれか一項に記載のキャップ付き容器。
＜６＞＜１＞から＜５＞のいずれか一項に記載のキャップ付き容器と、前記容器本体に充填された内容物と、を備えるキャップ付き容器詰め品。
【符号の説明】
【００８７】
１  キャップ付き容器
２  内容物
３  開口
４  容器本体
４ａ  貯留領域
５  キャップ
６  底部
６ａ  第１底部
６ｂ  第２底部
６ｃ  境界部
７  胴部
７ａ  膨出部
７ｂ  窪み部
７ｃ  突出部
８  口頸部
９  載置面
１０  キャップ付き容器詰め品
１１  キャップ本体
１２  装着部
１３  ノズル
１４  ノズル基部
１５  第１ヒンジ部
１６  操作部
１７  第２ヒンジ部
１８  ピストン
１９  支持部
２０  取っ手
２１  吸入管
２２、２３  位置合わせマーク
２５  キャップ基部
２５ａ  雄ねじ部
２５ｂ  注出口部
２６  着脱キャップ
２７  おもり
２８  口頸部
２９  開口
３１、３３  鉛直面
３２、３４  軸心
４１  外筒
４２  内筒
４４、４５  位置合わせマーク
Ｃ１、Ｃ２、Ｃ３  重心
【図１】
2017081611.tif 000003
【図２】
2017081611.tif 000004
【図３】
2017081611.tif 000005
【図４】
2017081611.tif 000006
【図５】
2017081611.tif 000007
【図６】
2017081611.tif 000008
【図７】
2017081611.tif 000009
【図８】
2017081611.tif 000010
【図９】
2017081611.tif 000011
【図１０】
2017081611.tif 000012